(57)【要約】【課題】一例として、ファンに関連した新規な構成によって不都合が減るあるいは利点が得られるテレビジョン受像機および電子機器を得る。【解決手段】実施形態にかかるテレビジョン受像機は、表示装置と、筐体と、ファンユニットと、第一の壁部と、第二の壁部と、支え構造と、を備えた。表示装置は、表示画面を有した。筐体には、表示装置の少なくとも一部が収容された。ファンユニットは、筐体内で表示装置の表示画面とは反対側に位置され、ファンを含む回転部を有した。第一の壁部は、ファンの表示画面とは反対側でファンの回転軸と交叉する方向に延びた。第二の壁部は、ファンの第一の壁部とは反対側で回転軸と交叉する方向に延びた。支え構造は、回転部の回転中心が位置された部分で、第一の壁部と第二の壁部との間に介在した。【選択図】図３
2013251721.tif 000002
【特許請求の範囲】
【請求項１】
表示画面を有した表示装置と、
前記表示装置の少なくとも一部が収容された筐体と、
前記筐体内で前記表示装置の前記表示画面とは反対側に位置され、ファンを含む回転部を有したファンユニットと、
前記ファンの前記表示画面とは反対側で前記ファンの回転軸と交叉する方向に延びた第一の壁部と、
前記ファンの前記第一の壁部とは反対側で前記回転軸と交叉する方向に延びた第二の壁部と、
前記回転部の回転中心が位置された部分で、前記第一の壁部と前記第二の壁部との間に介在した支え構造と、
を備えた、テレビジョン受像機。
【請求項２】
前記支え構造は、前記回転部の一部と、前記第一の壁部および前記第二の壁部のうち一方に設けられ前記回転部を回転可能に支持した回転支持部の少なくとも一部と、前記第一の壁部および前記第二の壁部のうち他方に設けられ少なくとも前記一方または前記他方が変形した場合に前記回転部の回転中心部と接触する接触部と、を含む、請求項１に記載のテレビジョン受像機。
【請求項３】
前記回転部および前記接触部のうち一方には突出部が設けられ、他方には当該突出部が収容される凹部が設けられた、請求項２に記載のテレビジョン受像機。
【請求項４】
前記支え構造は、前記第一の壁部および前記第二の壁部のうち少なくとも一方に設けられ前記回転部の回転中心部に設けられた開口部内に位置された第二の突出部を有した、請求項１に記載のテレビジョン受像機。
【請求項５】
前記第二の突出部は、前記第一の壁部と前記第二の壁部とに亘った、請求項４に記載のテレビジョン受像機。
【請求項６】
前記回転部は、前記第二の突出部に回転可能に支持された、請求項４または５に記載のテレビジョン受像機。
【請求項７】
前記第一の壁部および前記第二の壁部のうち少なくとも一方が、前記筐体の少なくとも一部を構成した壁部である、請求項１〜６のうちいずれか一つに記載のテレビジョン受像機。
【請求項８】
前記ファンユニットが、前記筐体内で当該筐体の角部に位置された、請求項７に記載のテレビジョン受像機。
【請求項９】
筐体と、
前記筐体内に設けられ、ファンを含む回転部を有したファンユニットと、
前記ファンの回転軸の軸方向一方側で当該回転軸と交叉する方向に延びた前記筐体の第一の壁部と、
前記ファンの回転軸の軸方向他方側で当該回転軸と交叉する方向に延びた前記筐体の第二の壁部と、
前記ファンの回転中心が位置された部分で、前記第一の壁部と前記第二の壁部との間に介在した支え構造と、
を備えた、電子機器。
【請求項１０】
筐体と、
前記筐体内に設けられ、ファンを含む回転部を有したファンユニットと、
前記ファンの回転軸の軸方向一方側で当該回転軸と交叉する方向に延びた前記筐体の第一の壁部と、
前記ファンの回転軸の軸方向他方側で当該回転軸と交叉する方向に延びた前記筐体の第二の壁部と、
前記第一の壁部と前記第二の壁部との間に介在し、前記第一の壁部の前記回転軸の軸方向一方側の部分と前記第二の壁部の前記回転軸の軸方向他方側の部分とが互いに近付くのを抑制する支え構造と、
を備えた、電子機器。
【請求項１１】
前記第一の壁部と前記第二の壁部との間に位置され、前記ファンの外周側を覆った第三の壁部を備え、
前記支え構造は、前記第三の壁部より前記回転軸側に位置された、請求項１０に記載の電子機器。
【発明の詳細な説明】
【技術分野】
【０００１】
本発明の実施形態は、テレビジョン受像機および電子機器に関する。
【背景技術】
【０００２】
従来、筐体にファンが設けられた電子機器が、知られている。
【先行技術文献】
【特許文献】
【０００３】
【特許文献１】特開２００７−２０７９４４号公報
【発明の概要】
【発明が解決しようとする課題】
【０００４】
ファンが設けられた電子機器では、例えば、筐体に外力が作用した場合にファンが回転しにくくなるなどの不都合が生じるのは好ましくない。
【０００５】
そこで、本発明の実施形態は、一例として、ファンに関連した新規な構成によって不都合が減るあるいは利点が得られるテレビジョン受像機および電子機器を得ることを、目的の一つとする。
【課題を解決するための手段】
【０００６】
本発明の実施形態にかかるテレビジョン受像機は、表示装置と、筐体と、ファンユニットと、第一の壁部と、第二の壁部と、支え構造と、を備えた。表示装置は、表示画面を有した。筐体には、表示装置の少なくとも一部が収容された。ファンユニットは、筐体内で表示装置の表示画面とは反対側に位置され、ファンを含む回転部を有した。第一の壁部は、ファンの表示画面とは反対側でファンの回転軸と交叉する方向に延びた。第二の壁部は、ファンの第一の壁部とは反対側で回転軸と交叉する方向に延びた。支え構造は、回転部の回転中心が位置された部分で、第一の壁部と第二の壁部との間に介在した。
【図面の簡単な説明】
【０００７】
【図１】図１は、第１実施形態にかかるテレビジョン受像機の一例の正面図である。
【図２】図２は、第１実施形態にかかるテレビジョン受像機の一例の側面図である。
【図３】図３は、第１実施形態にかかるテレビジョン受像機の一例の図１のIII−III線での模式的な断面図である。
【図４】図４は、第１実施形態にかかるテレビジョン受像機に含まれた回転部の一例の平面図である。
【図５】図５は、第１実施形態にかかるテレビジョン受像機に含まれたファンユニットの一例の正面図である。
【図６】図６は、第２実施形態にかかる電子機器の一例の斜視図である。
【図７】図７は、第２実施形態にかかる電子機器の第二筐体の一例の平面図（下面図）である。
【図８】図８は、図７のVIII−VIII断面図である。
【図９】図９は、第３実施形態にかかる電子機器の一例の、図８と同等位置での断面図である。
【図１０】図１０は、第４実施形態にかかる電子機器の一例の、図８と同等位置での断面図である。
【図１１】図１１は、第５実施形態にかかる電子機器の一例の、図８と同等位置での断面図である。
【図１２】図１２は、第６実施形態にかかる電子機器の一例の一部の断面図である。
【発明を実施するための形態】
【０００８】
以下の例示的な複数の実施形態には、同様の構成要素が含まれている。よって、以下では、同様の構成要素には共通の符号が付されるとともに、重複する説明が省略される。
【０００９】
また、以下の実施形態では、電子機器がテレビジョン受像機や所謂ノートブック型（クラムシェル型、折り畳み型）のパーソナルコンピュータとして構成された場合が例示されるが、本実施形態にかかる電子機器は、これには限定されない。本実施形態にかかる電子機器は、ファンを備えた電子機器、具体的には、例えば、所謂デスクトップ型やタブレット型（スレート型）のパーソナルコンピュータや、スマートテレビ、映像表示装置、受信装置、映像表示制御装置、プロジェクタ等として構成することができる。
【００１０】
＜第１実施形態＞
本実施形態では、一例として、図１，２に示されるように、テレビジョン受像機１Ａ（電子機器）は、支持部２Ａと筐体３Ａとを備える。具体的に、筐体３Ａには、表示装置４の少なくとも一部が収容されている。支持部２Ａ（スタンド部、台部、脚部）は、筐体３Ａを支持する。支持部２Ａは、筐体３Ａを、移動可能（回動可能）に支持することができる。その場合の筐体３Ａの動きとしては、例えば、チルト、ピボット、スイベル等がある。
【００１１】
筐体３Ａは、本実施形態では、一例として、図１に示されるように、正面視および背面視では四角形状（本実施形態では、一例として長方形状）に構成されている。また、筐体３Ａは、本実施形態では、一例として、図２に示されるように、前後方向に薄い扁平な直方体状に構成されている。筐体３Ａは、面３ａ（前面、上面、正面、面部）とこの反対側の面３ｂ（後面、下面、背面、面部）と、を有する。面３ａおよび面３ｂは、いずれも、筐体３Ａの厚さ方向と交叉する方向（本実施形態では、一例として直交する方向）に沿って延びている（拡がっている）。面３ａと面３ｂとは略平行である。また、筐体３Ａは、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１２】
また、筐体３Ａは、一例として、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００１３】
さらに、筐体３Ａは、複数の部品（分割体）が組み合わせられて構成されることができる。筐体３Ａは、本実施形態では、一例として、少なくとも壁部３ｋを含む筐体部材３１（前側部材、マスク、マスク部、カバー、フロントカバー、カバー部、部分、領域）と、少なくとも壁部３ｍを含む筐体部材３２（後側部材、ベース、ベース部、ボトム、ボトム部、カバー、リヤカバー、カバー部、部分、領域）とを有する。壁部３ｎは、筐体部材３１および筐体部材３２のうち少なくともいずれか一方（例えば、筐体部材３２）に含まれる。また、筐体３Ａは、筐体部材３１と筐体部材３２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。筐体３Ａは、金属材料や、合成樹脂材料等で構成されることができる。なお、筐体部材３１や筐体部材３２の筐体３Ａ内側には、リブ等の壁部（突出部、突出壁部、図示されず）が設けられることができる。これら壁部により、筐体３Ａの剛性が高まりやすい。
【００１４】
また、本実施形態では、一例として、筐体３Ａの面３ａ，３ｂ，３ｐには、コネクタや、操作部、カメラモジュール（カメラ、撮像装置）等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。
【００１５】
また、本実施形態では、一例として、図１に示されるように、表示装置４（表示部、ディスプレイ、パネル）の、面３ａ側に位置した表示画面４ａは、開口部３ｒを介して筐体３Ａの前方（外方）から視認可能である。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１６】
また、本実施形態では、一例として、表示装置４の前側（表側、壁部３ｋ側）に、タッチパネル５（一例としては入力操作パネル、タッチセンサ、操作面、カバー）が設けられることができる。この場合、タッチパネル５は、透明な比較的薄い四角形状に構成され、表示画面４ａを覆っている。ユーザ等は、例えば、手指や部品（例えばスタイラス等、図示されず）等でタッチパネル５に対して、触れる、押す、擦る、あるいは手指やスタイラス等をタッチパネル５の近傍で動かす、等の操作を行うことで、入力処理を実行することができる。また、表示装置４の表示画面４ａから出た光は、タッチパネル５を通過（透過）して壁部３ｋの開口部３ｒから筐体３Ａの前方（外方）へ出る。
【００１７】
そして、本実施形態では、一例として、筐体３Ａ内には、表示装置４の後側（裏側、背後側、壁部３ｍ側、表示画面４ａとは反対側）に、一つ以上の基板６（回路基板、制御基板、メイン基板、電気部品、部品）が収容されている。基板６は、表示装置４と略平行に設けられている。基板６は、壁部３ｋ，３ｍ，３ｎ等と離間した状態で、すなわち、壁部３ｋ，３ｍ，３ｎ等との間に空間（隙間）が形成された状態で、設けられている。
【００１８】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１９】
また、本実施形態では、一例として、図１，３に示されるように、ファンユニット５０Ａが設けられている。ファンユニット５０Ａ（空冷装置、冷却装置）は、ファン６１を回転させることにより、空気を吸入し排出する。ファン６１の回転によって形成された空気流により、筐体３Ａの内部の発熱体（部品、電子部品、電気部品、発熱部）や、冷却装置の熱交換器（熱交換部、放熱フィン）等が冷却される。
【００２０】
また、本実施形態では、一例として、図３に示されるように、ファンユニット５０Ａは、筐体３Ａの壁部３ｍ（外壁部、天壁部、底壁部、第一の壁部）の面３ｂとは反対側の面３ｍ１（内面、筐体内側の面）に取り付けられている。本実施形態では、一例として、ファンユニット５０Ａは、軸方向一方側に開放されており、当該軸方向一方側の壁部を有さない。換言すれば、壁部３ｍが、ファンユニット５０Ａのケース（筐体）の一部（回転軸Ａｘの軸方向一方側の壁部）として構成されている。壁部３ｍは、ファン６１の筐体外側（軸方向一方側、表示装置４とは反対側、表示画面４ａとは反対側、面３ｂ（後面）側）を覆っている。壁部３ｍには、通気口３ｓが設けられている。
【００２１】
すなわち、本実施形態では、一例として、壁部５１ａ（内壁部、天壁部、底壁部、第二の壁部、ケース）と壁部５１ｃ（側壁部、周壁部、亘部、第三の壁部、ケース）とが一体化され、ケース部品５１（部品）が構成されている。本実施形態では、一例として、ケース部品５１は、図５に示されるように、結合具３０（固定具、例えばねじ等）によって、壁部３ｍの面３ｍ１上に取り付けられている。
【００２２】
壁部５１ａは、ファン６１の壁部３ｍとは反対側（回転軸Ａｘの軸方向他方側、筐体内側）に設けられ、回転軸Ａｘと交叉する方向（直交する方向）に沿って延びている（拡がっている）。すなわち、壁部５１ａは、ファン６１の筐体内側（軸方向他方側、表示装置４側、表示画面４ａ側、面３ａ（前面）側）を覆っている。壁部５１ａは、壁部３ｍと略平行である。壁部５１ａには、通気口５１ｄが設けられている。また、壁部５１ｃは、壁部３ｍと壁部５１ａとの間に亘っている。壁部５１ｃには、通気口５１ｆが設けられている。通気口５１ｆは、ファン６１の径方向の一方側（本実施形態では、一例として図１の上側）に設けられている。すなわち、壁部５１ｃは、通気口５１ｆが設けられた部分以外で、ファン６１の径方向外側を、覆っている。
【００２３】
通気口３ｓ，５１ｄは、ファンユニット５０Ａの厚さ方向（回転軸Ａｘの軸方向、筐体３Ａの厚さ方向、壁部３ｍと壁部５１ａとの重なり方向（対向方向））に、ファン６１と重なっている。また、通気口５１ｆは、ファンユニット５０Ａの厚さ方向と直交する方向（回転軸Ａｘの径方向、面３ｍ１に沿った方向）に、ファン６１と重なっている。ファンユニット５０Ａにおける空気流の特性（方向、流量、流速等）は、ケース（ケース部品５１や壁部３ｍ）やファン６１のスペック（例えば、構造や、形状、回転数、回転方向等）等によって適宜に変更することができる。
【００２４】
回転体５２（回転部、可動部、ロータ）は、図３に示されるように、ファン６１およびシャフト６２（軸部、柱部）を有している。回転体５２は、ケース部品５１に収容されている。回転体５２は、シャフト６２を中心として回転する。換言すれば、シャフト６２は、ファンユニット５０Ａの厚さ方向に沿って延びている。
【００２５】
ファン６１は、シャフト６２の一端部が固定された基部６１ａと、基部６１ａの周面６１ｂから延出した複数のブレード６１ｃとを有している。ファン６１は、合成樹脂材料や金属材料等で構成される。基部６１ａは、円筒状かつカップ状に形成され、その開口部が壁部５１ａを向いた姿勢で配置されている。基部６１ａは、円板状の基壁部６１ｆと、この基壁部６１ｆの周縁部から壁部５１ａへ向けて延びた側壁部６１ｇとを有している。側壁部６１ｇの外周面が、基部６１ａの周面６１ｂである。基壁部６１ｆの内面には、凹状の軸固定部６１ｈが設けられており、この軸固定部６１ｈにシャフト６２の一端部が挿入され固定されている。
【００２６】
また、ファン６１は、図４に示されるように、その外周部に円環状の接続部材６１ｄを有している。接続部材６１ｄは、複数のブレード６１ｃの軸方向側の外縁部同士を接続している。また、図３に示されるように、ブレード６１ｃの端部６１ｅは湾曲（傾斜）して形成されている。
【００２７】
軸受部５３は、ケース部品５１に固定されたベース部品６３に設けられ、シャフト６２を回転可能に支持している。ベース部品６３は、ケース部品５１に、例えば接着やねじ止め等されることで固定される（取り付けられる）。なお、ベース部品６３は、ケース部品５１と一体成形することもできる。軸受部５３は、円筒状に形成されている。軸受部５３は、例えば、ニードル軸受、ボール軸受、すべり軸受、流体軸受、含油軸受等として構成することができる。軸受部５３は、ベース部品６３の基部６３ａに立設された円筒部６３ｂの筒内に形成された開口部６３ｃに嵌合されて基部６３ａに固定されている。また、円筒部６３ｂの底面には、スラスト板５５が固定されている。スラスト板５５は、シャフト６２の軸方向の端面を支持する。基部６３ａに設けられた軸受部５３の開口部６３ｃには、シャフト６２の少なくとも一部が収容されている。本実施形態では、一例として、円筒部６３ｂや、軸受部５３、スラスト板５５等は、回転部としての回転体５２を回転可能に支持する回転支持部の一例である。
【００２８】
モータ部５４は、図３に示されるように、ステータ５４ａと、ステータ５４ａを囲ったロータ５４ｂと、回路基板５４ｃと、を有する。ステータ５４ａは、巻線５４ｄが装着された鉄心５４ｅを有する。ロータ５４ｂは、円筒状のヨーク５４ｆと、ヨーク５４ｆの内周面に周方向に沿って相互に間隔をあけて固定された複数の磁石５４ｇと、を有する。ヨーク５４ｆは、基部６１ａの側壁部６１ｇの内周側に固定されている。回路基板５４ｃには、リード線（図示されず）が接続されており、回路基板５４ｃは、リード線から供給される電力を巻線５４ｄに伝える。モータ部５４は、磁石５４ｇと、この磁石５４ｇに対向するステータ５４ａの電磁作用によって、ロータ５４ｂが回転し、回転体５２が回転する。
【００２９】
また、本実施形態では、一例として、ファンユニット５０Ａが設けられた部分には、回転体５２（ファン６１）の回転軸Ａｘが位置された部分で、壁部５１ａと壁部３ｍとの間に介在した支え構造５７が設けられている。本実施形態では、一例として、支え構造５７には、円筒部６３ｂや、スラスト板５５、軸受部５３、シャフト６２、基壁部６１ｆ、突起部５９（突出部、接触部）等が含まれている。本実施形態では、壁部５１ａと壁部３ｍとの間に支え構造５７が介在するため、例えば、壁部３ｍに筐体内側に向けて外力が作用したような場合にあっても、壁部３ｍが変形するのが抑制される。よって、一例としては、ファンユニット５０Ａが設けられた部分では、壁部３ｍをより薄くすることができ、一例としては、筐体３Ａの軽量化に資することができる。
【００３０】
また、本実施形態では、一例として、突起部５９（突出部、接触部）は、基壁部６１ｆ（回転体５２）に、回転軸Ａｘ（回転中心）の位置で対向している。すなわち、突起部５９は、回転体５２の回転中心部５８に対向している。よって、壁部３ｍが筐体内側に押される等して変形した場合、突起部５９は回転体５２の回転軸Ａｘの位置（回転中心部５８）に接触する。よって、回転軸Ａｘから離れた位置に接触する場合に比べてモーメントアームが小さくなり、突起部５９の接触（当接）によって生じる回転体５２の回転の抵抗トルクがより小さくなる。よって、本実施形態によれば、一例としては、回転体５２の回転が停まりにくい。
【００３１】
また、本実施形態では、一例として、突起部５９ならびに壁部３ｍは、回転体５２が軸受部５３（ファンユニット５０Ａ、回転支持部）から抜け出すのを抑制する抑制部（移動規制部、抜止部、抜止構造）として機能している。ステータ５４ａと磁石５４ｇとの間には磁力（引力）が作用し、この磁力により、回転体５２が軸受部５３から抜け出す（離れる）のが抑制されている。しかしながら、ファンユニット５０Ａに外力や慣性力等が加わると、回転体５２には、その磁力に抗して軸受部５３から離脱する方向に力が作用する場合がある。このような場合にあっても、本実施形態では、一例として、壁部３ｍならびに突起部５９が、回転体５２が軸受部５３から抜け出すのを抑制することができる。
【００３２】
また、本実施形態では、一例として、図３，５に示されるように、筐体３Ａの壁部３ｍには、壁部５１ｃの一部（突出側の端部）を覆う壁部３ｖ（覆部）が突出されている。壁部３ｖは、壁部５１ｃと壁部３ｍとの間の隙間を覆っている。よって、本実施形態によれば、一例としては、当該隙間から空気が漏れるのが抑制される。よって、一例としては、ファンユニット５０Ａの動作（ファン６１の回転）における動作効率、ひいては冷却効率が低下するのが抑制される。また、壁部３ｖは、ケース部品５１（ファンユニット５０Ａ）を筐体３Ａに設ける際の、位置決め部（ガイド部）としても機能する。また、かかる構造は、換言すれば、ファンユニット５０Ａの側壁部（第三の壁部）が、ケース部品５１の壁部５１ｃと筐体３Ａの壁部３ｖとが、回転軸Ａｘの軸方向に重なって構成されているということができる。このように壁部５１ｃ，３ｖが重なった部分では、空気抵抗がより大きくなりやすく、空気がより抜けにくい。
【００３３】
以上、説明したように、本実施形態では、一例として、壁部５１ａと壁部３ｍとの間には、回転体５２（ファン６１）の回転軸Ａｘが位置された部分で、支え構造５７が介在した。よって、本実施形態によれば、一例としては、壁部５１ａあるいは壁部３ｍの剛性がより低い場合にあっても、壁部５１ａ，３ｍの変形がより抑制されやすい。
【００３４】
また、本実施形態では、一例として、壁部３ｍには、当該壁部３ｍが変形した場合に回転体５２の回転中心部５８と接触する突起部５９が設けられた。よって、本実施形態によれば、一例としては、壁部３ｍが回転軸Ａｘからより離れた（より遠い）位置で回転体５２に接触した場合に比べて、壁部３ｍと回転体５２とが接触したことによって生じる回転体５２の回転に抗する抵抗トルクが、より小さい。
【００３５】
また、本実施形態では、一例として、支え構造５７は、壁部５１ｃより回転軸Ａｘ側に位置されている。よって、一例としては、支え構造５７が壁部５１ｃより外側に位置された場合に比べて、壁部３ｋ，３ｍの変形がより抑制されやすい。
【００３６】
＜第２実施形態＞
本実施形態では、一例として、図６に示されるように、電子機器１Ｂは、第一筐体３Ｂと第二筐体２Ｂとを備える。具体的に、第一筐体３Ｂ（第一部分、筐体）には、表示装置４の少なくとも一部が収容される。また、第一筐体３Ｂには、表示装置４と重なって透明なタッチパネル５（タッチセンサ、入力操作部、入力受付部、入力部）が設けられることができる。ユーザ等は、タッチパネル５を介して表示装置４の表示画面４ａに表示される映像（画像）を視認することができる。
【００３７】
図６に示されるように、第二筐体２Ｂ（第二部分、筐体）には、基板６が収容されている。第二筐体２Ｂには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、入力受付部、入力部）等が設けられる。
【００３８】
第一筐体３Ｂと第二筐体２Ｂとは、ヒンジ機構９（ヒンジ部、接続部、連結部、回動支持部、接続機構、連結機構、回動支持機構）によって回動可能に接続されている。第一筐体３Ｂと第二筐体２Ｂとは、ヒンジ機構９により、少なくとも図６に示される展開状態と、図示されない折り畳み状態との間で回動可能に接続されている。本実施形態では、一例として、ヒンジ機構９は、第一筐体３Ｂと第二筐体２Ｂとを、回動軸Ａｘ２回りに回動可能に、接続している。
【００３９】
表示装置４の表示画面４ａは、第一筐体３Ｂの面３ａ（前面、上面、正面、面部）に設けられた開口部３ｒを介して視認可能である。また、キーボード７や、ポインティングデバイス８ａ、クリックボタン８ｂ等は、第二筐体２Ｂの面２ａ（前面、上面、正面、面部）に露出している。折り畳み状態では、第一筐体３Ｂの面３ａと第二筐体２Ｂの面２ａとが重なり、表示画面４ａや、キーボード７、ポインティングデバイス８ａ、クリックボタン８ｂ等は、第一筐体３Ｂおよび第二筐体２Ｂに隠される。展開状態では、第一筐体３Ｂの面３ａおよび第二筐体２Ｂの面２ａが露出され、表示画面４ａや、キーボード７、ポインティングデバイス８ａ、クリックボタン８ｂ等は、使用可能（視認可能あるいは操作可能）になる。なお、第一筐体の厚さ方向の一方がタッチパネルの面で覆われる場合もある。その場合、タッチパネルの面が第一筐体の面である。また、第二筐体にキーボードに替えてタッチパネル付きの表示装置（図示されず）が設けられる場合もある。さらに、第二筐体の厚さ方向の一方がタッチパネルの面で覆われる場合もある。その場合、タッチパネルの面が第二筐体の面である。
【００４０】
第一筐体３Ｂは、本実施形態では、一例として、図６に示されるように、正面視および背面視では四角形状（本実施形態では、一例として長方形状）に構成されている。また、第一筐体３Ｂは、本実施形態では、一例として、薄い扁平な直方体状に構成されている。第一筐体３Ｂは、面３ａとこの反対側の面３ｂ（後面、下面、背面、面部）と、を有する。面３ａと面３ｂとは略平行である。また、第一筐体３Ｂは、図６に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００４１】
また、第一筐体３Ｂは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、第一筐体３Ｂは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００４２】
さらに、第一筐体３Ｂは、複数の部品（分割体）が組み合わせられて構成されることができる。第一筐体３Ｂは、本実施形態では、一例として、少なくとも壁部３ｋを含む筐体部材３１（前側部材、マスク、マスク部、カバー、フロントカバー、カバー部、部分、領域）と、少なくとも壁部３ｍを含む筐体部材３２（後側部材、ベース、ベース部、ボトム、ボトム部、カバー、リヤカバー、カバー部、部分、領域）とを有する。壁部３ｎは、筐体部材３１および筐体部材３２のうち少なくともいずれか一方（例えば、筐体部材３２）に含まれる。また、第一筐体３Ｂは、筐体部材３１と筐体部材３２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。第一筐体３Ｂは、金属材料や、合成樹脂材料等で構成されることができる。
【００４３】
また、本実施形態では、一例として、表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００４４】
また、本実施形態では、一例として、タッチパネル５は、透明な比較的薄い四角形状に構成されている。操作者（ユーザ等）は、例えば、手指や部品（例えばスタイラス等、図示されず）等でタッチパネル５に対して、触れる、押す、擦る、あるいは手指やスタイラス等をタッチパネル５の近傍で動かす等の操作を行うことで、入力処理を実行することができる。また、表示装置４の表示画面４ａから出た光は、タッチパネル５を通過（透過）して壁部３ｋの開口部３ｒから第一筐体３Ｂの前方（外方）へ出る。
【００４５】
第二筐体２Ｂは、本実施形態では、一例として、図６，７に示されるように、正面視および背面視では四角形状（本実施形態では、一例として長方形状）に構成されている。また、第二筐体２Ｂは、本実施形態では、一例として、薄い扁平な直方体状に構成されている。第二筐体２Ｂは、面２ａとこの反対側の面２ｂ（後面、下面、背面、面部）と、を有する。面２ａと面２ｂとは略平行である。また、第二筐体２Ｂは、面２ａに対する正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００４６】
また、第二筐体２Ｂは、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、四角形状（本実施形態では、一例として長方形状）である。また、第二筐体２Ｂは、壁部２ｋと壁部２ｍとの間に亘った面２ｐ（側面、周面）を有する四つの壁部２ｎ（部分、プレート、側壁部、端壁部、立壁部、亘部）を有する。なお、壁部２ｋには、一例としては四角形状の開口部２ｒが設けられている。よって、壁部２ｋは、四角形状かつ枠状である。
【００４７】
さらに、第二筐体２Ｂは、一例として、複数の部品（分割体）が組み合わせられて構成されることができる。第二筐体２Ｂは、本実施形態では、一例として、少なくとも壁部２ｋを含む筐体部材２１（前側部材、マスク、マスク部、カバー、フロントカバー、カバー部、部分、領域）と、少なくとも壁部２ｍを含む筐体部材２２（後側部材、ベース、ベース部、ボトム、ボトム部、カバー、リヤカバー、カバー部、部分、領域）とを有する。壁部２ｎは、筐体部材２１および筐体部材２２のうち少なくともいずれか一方（例えば、筐体部材２２）に含まれる。また、第二筐体２Ｂは、筐体部材２１と筐体部材２２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。第二筐体２Ｂは、金属材料や、合成樹脂材料等で構成されることができる。
【００４８】
また、本実施形態では、一例として、キーボード７の操作面７ａ（面、上面）は、開口部２ｒを介して第二筐体２Ｂの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００４９】
そして、本実施形態では、一例として、図６に示されるように、第二筐体２Ｂ内には、キーボード７の後側（裏側、背後側、壁部２ｍ側、操作面７ａとは反対側）に、一つ以上の基板６（回路基板、制御基板、メイン基板、電気部品）が収容されている。基板６は、キーボード７と並行して設けられている。基板６は、壁部２ｋ，２ｍ，２ｎ等と離間した状態で、すなわち、壁部２ｋ，２ｍ，２ｎ等との間に空間（隙間）が形成された状態で、設けられている。
【００５０】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００５１】
また、本実施形態では、一例として、図７に示されるように、壁部２ｍ（第一の壁部）には、スリット状に開口され、放射状かつ円形状に配置された複数の通気口２ｓが設けられている。ファンユニット５０Ｂ（図８参照）は、第二筐体２Ｂ内で、通気口２ｓと第二筐体２Ｂの厚さ方向に重なった位置、すなわち角部２ｉおよび端部２ｄ，２ｅの近傍に、設けられている。
【００５２】
図８を図３と比較すれば明らかとなるように、本実施形態にかかるファンユニット５０Ｂの構造は、上記第１実施形態にかかるファンユニット５０Ａの構造と同様である。よって、本実施形態によっても、上記第１実施形態と同様の構成に基づく同様の結果（効果）が得られる。ファン６１の回転によって、通気口２ｓから筐体内に吸い込まれた空気は、冷却装置６４のフィン６４ａ（放熱フィン、熱交換部、熱交換器）と熱交換して当該フィン６４ａを冷却し、壁部２ｎに設けられた通気口２ｔから筐体外に排出される。
【００５３】
また、本実施形態では、一例として、図８に示されるように、第二筐体２Ｂの壁部２ｋには、ケース部品５１の壁部５１ａ，５１ｃに向けて（筐体内側に向けて）突出した複数の突起部２ｕ（突出部、介在部、支持部）が設けられている。突起部２ｕのうちの少なくとも一つは、シャフト６２（支え構造５７）と第二筐体２Ｂの厚さ方向に重なる状態で、当該回転軸Ａｘの延長線上に、位置されている。また、他の突起部２ｕは、壁部５１ｃと第二筐体２Ｂの厚さ方向に重なる位置に設けられている。よって、第二筐体２Ｂの壁部２ｋおよび壁部２ｍのうち一方に、他方側に向けて作用した力（荷重）は、支え構造５７ならびに突起部２ｕを介して当該他方に伝達される。よって、本実施形態によれば、一例として、ファンユニット５０Ｂが、第二筐体２Ｂの剛性の向上に資することができる。よって、本実施形態によれば、一例としては、壁部２ｋあるいは壁部２ｍの剛性がより低い場合にあっても、壁部２ｋ，２ｍの変形がより抑制されやすい。よって、本実施形態によれば、一例としては、壁部２ｋ，２ｍがより薄く構成されやすく、ひいては、第二筐体２Ｂがより軽量に構成されやすい。また、本実施形態によれば、一例としては、ファンユニット５０Ｂの中央部に対応して設けられた突起部２ｕは、第二筐体２Ｂの壁部２ｋと壁部２ｍとの間に第二筐体２Ｂの厚さ方向に介在した支え構造５７の一部を構成していると言うことができる。なお、突起部２ｕは、壁部２ｋ，２ｍの自由状態ではケース部品５１の壁部５１ａから離間している。そして、突起部２ｕは、壁部２ｋ，２ｍのうち少なくとも一方に筐体内側に向けて力（荷重）が作用した場合に壁部５１ａと接触（当接）し、壁部２ｋと壁部５１ａとの間に介在する。なお、突起部２ｕは、壁部２ｋに替えて壁部５１ａに設けられることができるし、壁部２ｋおよび壁部５１ａの双方に設けられることもできる。また、突起部２ｕと壁部５１ａ（または壁部２ｋ）との間に、可撓性部材（弾性部材、緩衝部材、例えば、発泡性部材、エラストマ等）が設けられることができる。
【００５４】
また、本実施形態では、一例として、図８に示されるように、突起部５９は、回転体５２の基壁部６１ｆに設けられている。また、突起部５９に対応して（対向して）、第二筐体２Ｂの壁部２ｍには、突起部５９を回転可能に収容する収容部６５（凹部）が設けられている。突起部５９は、略球面状の外面を有し、収容部６５は、略球面状（すり鉢状）の内面を有する。収容部６５の内面の曲率半径は、突起部５９の外面の曲率半径より大きい。また、収容部６５（突起部５９と収容部６５との間）には、潤滑剤（例えばグリス、オイル等、図示されず）を存在させることができる。なお、突起部５９が回転体５２に替えて壁部２ｍに設けられるとともに、収容部６５が壁部２ｍに替えて回転体５２に設けられることができる。このように、本実施形態では、一例として、突起部５９を収容する収容部６５が設けられた。よって、本実施形態によれば、一例としては、突起部５９あるいは突起部５９が接触する部分（本実施形態では、一例として壁部２ｍ）の摩耗が抑制されやすい。さらに、本実施形態では、一例として、突起部５９と収容部６５との間に潤滑剤が介在されることができる。よって、本実施形態によれば、一例としては、突起部５９あるいは突起部５９が接触する部分の摩耗がより一層抑制されやすい。
【００５５】
また、本実施形態では、一例として、図８に示されるように、壁部５１ｃと壁部２ｍ（第一の壁部）との間には、弾性部材６６（可撓性部材、シール部材、覆部材、覆部）が設けられている。弾性部材６６は、一例としては、合成樹脂材料（例えば、発泡性の樹脂材料、スポンジ等）や、エラストマ（例えば、合成ゴム）等の、可撓性かつ弾性を有した部材で構成される。弾性部材６６は、壁部５１ｃと壁部２ｍとの間の隙間を覆い、この隙間をシールしている。よって、当該隙間から空気が漏れるのが抑制される。よって、一例としては、ファンユニット５０Ｂの動作（ファン６１の回転）における動作効率、ひいては冷却効率が低下するのが抑制される。また、弾性部材６６は、可撓性あるいは弾性を有するため、壁部５１ｃとの位置ずれが生じた場合にあっても、壁部５１ｃとの間をシールすることができる。また、弾性力によって接触部分の面圧が高まりやすくなり、シール性能がより高まりやすい。
【００５６】
また、本実施形態では、一例として、図８に示されるように、壁部２ｍのファンユニット５０Ｂと重なった部分は、第二筐体２Ｂの筐体外側に膨出されて（屈曲されて、曲げられて）膨部２ｘ（突出部）が設けられ、剛性が高められている。なお、壁部５１ａに、通気口を設けることも可能である。
【００５７】
＜第３実施形態＞
図９を図８と比較すれば明らかとなるように、本実施形態にかかる電子機器１Ｃの第二筐体２Ｃに収容されたファンユニット５０Ｃの構造は、上記第２実施形態にかかるファンユニット５０Ｂの構造と同様である。よって、本実施形態によっても、上記第２実施形態と同様の構成に基づく同様の結果（効果）が得られる。
【００５８】
ただし、本実施形態では、一例として、図９に示されるように、ファンユニット５０Ｃは、壁部２ｋに替えて壁部２ｍに取り付けられている。また、突起部５９が壁部２ｋに設けられるとともに、収容部６５が回転体５２に設けられている。このような構成によっても、上記第２実施形態と同様の結果が得られる。
【００５９】
また、本実施形態では、一例として、図９に示されるように、ファンユニット５０Ｃはケース部品を有さず、第二筐体２Ｃの壁部２ｋ，２ｍ，２ｖ，２ｗに囲まれている。すなわち、ファンユニット５０Ｃのケース部品は、第二筐体２Ｃによって構成されている。壁部２ｖは、壁部２ｋから壁部２ｍに向けて突出し、ファン６１を間隔をあけて外側（外周側、回転軸Ａｘとは反対側）から囲う状態に設けられている。壁部２ｗは、壁部２ｍから壁部２ｋに向けて突出し、ファン６１を間隔をあけて外側から囲う状態に設けられている。また、壁部２ｗは、壁部２ｖの外周側に接している。第二筐体２Ｃの筐体部材２１と筐体部材２２とを組み立てる際、壁部２ｗは壁部２ｖを案内し、壁部２ｖは壁部２ｗを案内する。また、壁部２ｗ，２ｖが互いに重なっていることで、これら壁部２ｗ，２ｖが互いに重なっている部分から空気が漏れるのが抑制されやすい。このように、本実施形態によれば、一例としては、ケース部品を省略できる分、第二筐体２Ｃの構成がより簡素化されやすく、ひいては、第二筐体２Ｃが、一例としては、より薄型化あるいは軽量化されやすい。
【００６０】
＜第４実施形態＞
図１０を図８，９と比較すれば明らかとなるように、本実施形態にかかる電子機器１Ｄの第二筐体２Ｄに収容されたファンユニット５０Ｄは、上記第２実施形態にかかるファンユニット５０Ｂや上記第３実施形態にかかるファンユニット５０Ｃと同様の構成を有している。よって、本実施形態によっても、上記第２実施形態や第３実施形態と同様の構成に基づく同様の結果（効果）が得られる。
【００６１】
ただし、本実施形態では、一例として、図１０に示されるように、ファンユニット５０Ｄは、壁部２ｋに替えて壁部２ｍに取り付けられている。このような構成にあっても、ファンユニット５０Ｄが壁部２ｋに設けられた場合と同様の結果が得られる。
【００６２】
また、本実施形態では、一例として、シャフト６２（第二の突出部）がベース部品６３（壁部２ｋ側）に固定され、回転体５２の基壁部６１ｆを貫通している。シャフト６２の壁部２ｍ側の端部６２ａは、壁部２ｍに設けられた凹部２ｙと対向し、少なくとも壁部２ｋ，２ｍの変形等によってシャフト６２と壁部２ｍとが相互に近付いた状態では、凹部２ｙに収容され、凹部２ｙの底部（壁部２ｍ）に接触する（当接する）。すなわち、本実施形態では、一例として、支え構造５７には、ベース部品６３およびシャフト６２が含まれている。本実施形態でも、壁部２ｋと壁部２ｍとの間に支え構造５７が介在するため、当該支え構造５７を設けたことによる上記実施形態と同様の結果が得られる。また、シャフト６２と凹部２ｙとによる凹凸構造は、シャフト６２と壁部２ｍとの位置決めに資する。なお、凹部がシャフト６２に設けられ、壁部２ｍに突出部が設けられてもよい。また、シャフト６２が壁部２ｍ側に固定される構成であってもよい。
【００６３】
また、本実施形態では、一例として、回転体５２は、支え構造５７の一部（本実施形態では、一例としてシャフト６２）に回転可能に支持されている。回転体５２には、シャフト６２が貫通する開口部５２ａ（貫通孔）が設けられ、この開口部５２ａには、シャフト６２の外周に設けられた張出部６２ｂ（突出部）が収容された溝部５２ｂが設けられている。本実施形態では、一例として、張出部６２ｂと溝部５２ｂ（の周辺部分）とが、回転体５２がシャフト６２から抜け出すのを抑制する抑制部（移動規制部、抜止部、抜止構造）として機能している。また、本実施形態では、一例として、張出部６２ｂが、回転体５２を回転可能に支持する回転支持部として機能している。本実施形態では、このような構成により、一例として、支え構造５７ならびに回転体５２の回転支持構造を、より簡素な構造として得ることができる。なお、シャフト６２に溝部が設けられ、回転体５２に張出部が設けられてもよい。また、回転体５２とシャフト６２との一体化にあたっては、回転体５２およびシャフト６２のうち少なくともいずれか一方の弾性変形を伴う。また、張出部６２ｂと溝部５２ｂとの間には、潤滑剤（グリス等）が介在されてもよい。
【００６４】
＜第５実施形態＞
図１１を図８と比較すれば明らかとなるように、本実施形態にかかる電子機器１Ｅの第二筐体２Ｅに収容されたファンユニット５０Ｅは、上記第２実施形態にかかるファンユニット５０Ｂと同様の構成を有している。よって、本実施形態によっても、上記第２実施形態と同様の構成に基づく同様の結果（効果）が得られる。
【００６５】
ただし、本実施形態では、一例として、図１１に示されるように、ファンユニット５０Ｅのファン６１の外周側には、冷却装置６４のヒートパイプ６４ｂ（パイプ、パイプ部、熱輸送部、チューブ）が巻かれている。また、ヒートパイプ６４ｂと第二筐体２Ｅやケース部品５１等との間で隙間となる部分は、フィルム６４ｃ（例えばインシュレータ、シート等）や弾性部材６４ｄ（例えば発泡材料）で覆われている（塞がれている）。すなわち、本実施形態では、一例として、ファンユニット５０Ｅの壁部５１ｃの一部をヒートパイプ６４ｂやフィルム６４ｃで構成することで、ファンユニット５０Ｅの構成がより簡素化されやすい。また、ヒートパイプ６４ｂにファン６１によって生じる風があたる面積がより大きくなるため、冷却装置６４による冷却性能がより高まりやすい。
【００６６】
＜第６実施形態＞
図１２を図９と比較すれば明らかとなるように、本実施形態にかかる電子機器１Ｆの第二筐体２Ｆに収容されたファンユニット５０Ｆは、上記第３実施形態にかかるファンユニット５０Ｃと同様の構成を有している。よって、本実施形態によっても、上記第３実施形態と同様の構成に基づく同様の結果（効果）が得られる。
【００６７】
ただし、本実施形態では、一例として、図１２に示されるように、第二筐体２Ｆの壁部２ｋの、ファンユニット５０Ｆに対応した部分が、第一筐体３Ｆ側に膨らんで、膨部２ｘ（突出部）が設けられている。この膨部２ｘに対応して、第一筐体３Ｆの壁部３ｋには、当該膨部２ｘが収容された凹部３ｗが設けられている。このような構成によれば、一例としては、ファンユニット５０Ｆを設けたことによる第二筐体２Ｆの厚さの増大を、第一筐体３Ｆの厚さの減少によって相殺し、第一筐体３Ｆと第二筐体２Ｆとが折り畳まれた状態（重なった状態）での電子機器１Ｆの厚さの増大が抑制されやすい。
【００６８】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。また、ファンユニットが筐体ではなく基板に設けられる構成にも、本発明の構成を適用することができる。
【符号の説明】
【００６９】
１Ａ…テレビジョン受像機（電子機器）、１Ｂ〜１Ｆ…電子機器、２Ｂ〜２Ｆ…第二筐体（筐体）、２ｋ，２ｍ…壁部（第二の壁部、第一の壁部）、３Ａ…筐体、３ｍ…壁部（第一の壁部）、４…表示装置、４ａ…表示画面、５０Ａ〜５０Ｆ…ファンユニット、５１ａ…壁部（第二の壁部）、５１ｃ…壁部（第三の壁部）、５２…回転体（回転部）、５２ａ…開口部、５３…軸受部（回転支持部）、５５…スラスト板（回転支持部）、５７…支え構造、５８…回転中心部、５９…突起部（突出部、接触部）、６１…ファン、６２ｂ…張出部（回転支持部）、６３ｂ…円筒部（回転支持部）、６５…収容部（凹部）Ａｘ…回転軸（回転中心）。
【図１】
2013251721.tif 000003
【図２】
2013251721.tif 000004
【図３】
2013251721.tif 000005
【図４】
2013251721.tif 000006
【図５】
2013251721.tif 000007
【図６】
2013251721.tif 000008
【図７】
2013251721.tif 000009
【図８】
2013251721.tif 000010
【図９】
2013251721.tif 000011
【図１０】
2013251721.tif 000012
【図１１】
2013251721.tif 000013
【図１２】
2013251721.tif 000014